(57)【要約】【課題】人体の背面各部へのマッサージを更に効果的なものとする。【解決手段】被施療者の前面側を支持する支持体１と、支持体後方に配設されて被施療者の背面を施療子２８でマッサージする施療手段２とからなる。上記支持体で支持された被施療者の身体外形状を計測する外形状計測手段３を備え、上記施療手段は上記外形状計測手段から得られた身体外形状データに基づいて施療子の動作を規定する制御部を備える。外形状測定手段で得られた身体外形状データに基づいてマッサージの範囲やマッサージの際の施療子の動きを制御する。【選択図】図１
2009160175.tif 000002
【特許請求の範囲】
【請求項１】
被施療者の前面側を支持する支持体と、支持体後方に配設されて被施療者の背面を施療子でマッサージする施療手段とからなるとともに、上記支持体で支持された被施療者の身体外形状を計測する外形状計測手段を備えて、上記施療手段は上記外形状計測手段から得られた身体外形状データに基づいて施療子の動作を規定する制御部を備えていることを特徴とするマッサージ機。
【請求項２】
上記外形状計測手段は、上記支持体で支持された被施療者の身体背面までの距離を求める距離算出部を備えており、上記制御部は距離算出部で得られた距離に基づいて施療子の動作を制御していることを特徴とする請求項１記載のマッサージ機。
【請求項３】
上記制御部は、身体外形状データから抽出した複数の特徴点間の距離と予め与えられた筋繊維方向情報とに基づいて人体背面を複数のセグメントに分割して各セグメント毎に施療子の動作方向を制御するものであることを特徴とする請求項１または２記載のマッサージ機。
【請求項４】
上記施療子にかかる力を検出する力センサを備えて、上記制御部は力センサの出力を基に人体に加える力のフィードバック制御を行うものであることを特徴とする請求項１〜３のいずれか１項に記載のマッサージ機。
【請求項５】
上記力センサは、施療手段において施療子を動かすことができる３軸方向と一致した３軸方向の力を検出することができるものであることを特徴とする請求項４記載のマッサージ機。
【請求項６】
制御部は力センサで検出された力が予め定めた閾値を越える時、その力の方向と一致する方向の施療子の動きを抑えるものであることを特徴とする請求項５記載のマッサージ機。
【請求項７】
制御部は、力センサから得られる３軸方向の力のうち、施療子が人体を押し込む方向と直交する２軸方向の力から人体の筋繊維方向を求める演算部を備えていることを特徴とする請求項４〜６のいずれか１項に記載のマッサージ機。
【請求項８】
制御部は施療子で被施療者を押圧するにあたり、被施療者の体表面に沿った方向で且つ演算部で得た筋繊維方向と直交する方向に施療子を往復動させるものであることを特徴とする請求項７記載のマッサージ機。
【請求項９】
上記施療子は拇指を模した形状のものであるとともに、その長手方向を筋繊維方向と直交する方向に合致させるための回転駆動部を備えていることを特徴とする請求項３または８記載のマッサージ機。
【請求項１０】
上記支持体及び施療手段は、これらを囲むボックスルームで形成された閉空間内に設置されていることを特徴とする請求項１〜９のいずれか１項に記載のマッサージ機。
【発明の詳細な説明】
【技術分野】
【０００１】
本発明は、マッサージ機、殊に人体背面に対してマッサージを行うマッサージ機に関するものである。
【背景技術】
【０００２】
従来から椅子の背もたれ内にマッサージ機構を配して、背もたれに接している人体背面に対してマッサージを行うマッサージ機が各種提供されている。
【０００３】
この形態のマッサージ機では、背もたれに設けた開口部にマッサージ用の施療子を位置させて、背もたれの周囲枠部で支えている上半身の背面に上記施療子でマッサージを行うものであり、この場合、人体に対する施療子による施療範囲（殊に幅方向）を広くするには開口部を広げることになり、背もたれで人体背面を支えることができなくなるために、施療子による施療範囲がどうしても狭くなり、施療部位としてニーズの高い肩外部近傍（肩甲骨外側）等の施療は事実上できない。
【０００４】
また、施療子による人体背面に対する施療は、人体背面を背もたれ前面から浮かせる方向に働くことから人体の体重が加わるために得てして過剰な力が人体背面に加えられてしまいやすく、しかも施療子を後退させてもこの動きに伴って人体は上記開口部に沈むために、人体背面に加える力を十分に除減することができない。また、人体背面に加えられる力は、背もたれの後傾角度や被施療者の体重によって変化することになり、これは施療子を駆動するという点からすれば、背もたれ前面側への施療子の突出量を正確に制御しても、人体に加えられる力は一定ではないということになる。このために、施療子が人体背面を押圧する力を正確に且つ適切にコントロールすることが難しい。
【０００５】
このために本出願人は、特許文献１に示されたマッサージ機を提案した。身体の前面を支持した状態で身体背面に施療子をマッサージを行うこのマッサージ機では、身体背面の全面が開放された状態にあるために肩外部へのマッサージも可能であり、しかも施療子に身体の体重が作用することがない上に施療子が人体背面に加える力は体重の影響を受けることなく人体に加えられるために、人体背面を押圧する力を正確に且つ適切にコントロールすることができる。
【０００６】
しかしながら、人体の背面の大きさや形状は個人差があることから、人体の背面の各部をその部位に応じた適切な力で押圧することができるとは限らない。また、人体背面ではその部位によって筋繊維の向きが異なっているとともに、マッサージにおいては筋繊維の向きに応じた方向（ここでの方向は体表面に沿った方向）に力を加えることが好ましいのであるが、現状のマッサージ機は全て予め定められた方向の力しか加えることができないために、常に効果的なマッサージを得られるものとはなっていない。
【０００７】
なお、人体の個人差に対応するために、肩の位置（高さ）を検出することができるものは従来から提供されているが、肩幅等の検出機能はないことから、肩外部などを適切に認識できるものではない。
【特許文献１】特開２００７−２０９４０４号公報
【発明の開示】
【発明が解決しようとする課題】
【０００８】
本発明は上記の従来の問題点に鑑みて発明したものであって、上記特許文献１に示されたものにおいて、人体の背面各部へのマッサージを更に効果的なものとすることができるマッサージ機を提供することを課題とするものである。
【課題を解決するための手段】
【０００９】
上記課題を解決するために本発明に係るマッサージ機は、被施療者の前面側を支持する支持体と、支持体後方に配設されて被施療者の背面を施療子でマッサージする施療手段とからなるとともに、上記支持体で支持された被施療者の身体外形状を計測する外形状計測手段を備えて、上記施療手段は上記外形状計測手段から得られた身体外形状データに基づいて施療子の動作を規定する制御部を備えていることに特徴を備えている。
【００１０】
外形状測定手段で得られた身体外形状データに基づいてマッサージの範囲やマッサージの際の施療子の動きを制御するようにしたものである。
【００１１】
上記外形状計測手段は、上記支持体で支持された被施療者の身体背面までの距離を求める距離算出部を備えており、上記制御部は距離算出部で得られた距離に基づいて施療子の動作を制御しているものであれば、施療子が人体に接触する位置を予め知ることができるために施療子の動作を迅速なものとすることができる。
【００１２】
上記制御部は、身体外形状データから抽出した複数の特徴点間の距離と予め与えられた筋繊維方向情報とに基づいて人体背面を複数のセグメントに分割して各セグメント毎に施療子の動作方向を制御するものであると、最も好ましいとされるマッサージを人体背面の各部に対して行うことができる。
【００１３】
上記施療子にかかる力を検出する力センサを備えて、上記制御部は力センサの出力を基に人体に加える力のフィードバック制御を行うものであれば、過負荷を人体に与えてしまうことがないマッサージを行うことができる。
【００１４】
また、上記力センサは、施療手段において施療子を動かすことができる３軸方向と一致した３軸方向の力を検出することができるものが好ましい。
【００１５】
そして制御部は力センサで検出された力が予め定めた閾値を越える時、その力の方向と一致する方向の施療子の動きを抑えるものであると、人体に対するマッサージをより細やかに且つ適切に行うことができる。
【００１６】
制御部は、力センサから得られる３軸方向の力のうち、施療子が人体を押し込む方向と直交する２軸方向の力から人体の筋繊維方向を求める演算部を備えているものであってもよい。人体の筋繊維方向を的確に認識してより効果的なマッサージを行うことができる。
【００１７】
そして、制御部は施療子で被施療者を押圧するにあたり、被施療者の体表面に沿った方向で且つ演算部で得た筋繊維方向と直交する方向に施療子を往復動させるものであると、最も好ましいとされるマッサージを確実に得ることができる。
【００１８】
さらに上記施療子は拇指を模した形状のものであるとともに、その長手方向を筋繊維方向と直交する方向に合致させるための回転駆動部を備えていると、施療子が筋繊維に与える力をより局部的にコントロールすることができる。
【００１９】
また、上記支持体及び施療手段は、これらを囲むボックスルームで形成された閉空間内に設置されていると、外形状測定手段による身体外形状の測定を外乱光などに影響されることなく的確に行うことができる。
【発明の効果】
【００２０】
本発明は、支持体によって前面側が支持されている被施療者の身体外形状を計測する外形状計測手段を備えたものであり、この場合、被施療者の背面は支持体で覆われていることがないために、その外形状を的確に測定することができ、従って得られた身体外形状データに基づいてマッサージの範囲やマッサージの際の施療子の動きを施療手段の制御部が制御する時、人体の背面各部へのマッサージをきわめて効果的なものとすることができる。
【発明を実施するための最良の形態】
【００２１】
以下、本発明を添付図面に示す実施形態に基づいて説明すると、図示例のマッサージ機は、前記特許文献１で示されたものと同様に、人体を前傾着座状態で支持する支持体１と、この支持体１の後方に設置された施療手段２とから構成されるもので、上記支持体１は、着座部１０と、人体の胸部前面を支える胸部支持部１１と、人体の頭部前面側を支える頭部支持部１２と、膝を載せるための膝当て部１３と、上腕を載せるための上腕置き部１４とを備えたものとして構成されており、上記頭部支持部１２は呼吸を妨げることがないように抜き孔が中央に設けられている。そして、この支持体１においては、被施療者が着座部１０に座るとともに胸部支持部１１に胸を当て、更に頭部支持部１２に顔を当てれば、被施療者は前傾姿勢を保った状態で支持体１に支持される。
【００２２】
上記支持体１の後方側に設置された施療手段２は、矩形枠として組まれたフレーム２０内に、ねじ軸である上下駆動軸２１と左右一対の上下ガイド軸２２，２２とを配置し、上記上下駆動軸２１に螺合する送りナット２３と上記上下ガイド軸２２にスライド自在に係合する軸受２４とを可動プレート２５に設けて、上下駆動軸２１の回転で可動プレート２５が上下に移動するものとし、更に可動プレート２５に一対の左右駆動ユニット２６，２６と、これら左右駆動ユニット２６で夫々左右方向に駆動されるアクチュエータ２７，２７とを配したもので、左右駆動ユニット２６は上記上下駆動構成と同じくねじ軸の回転駆動でアクチュエータ２７を左右方向に移動させるものとなっている。
【００２３】
上記アクチュエータ２７は前後方向の直線運動を行うもので、その先端には人体の拇指を模した施療子２８が取り付けられている。
【００２４】
図中２９ａは上下駆動軸の回転駆動用のモータ、２９ｂは左右駆動ユニット２６における前記ねじ軸の回転駆動用のモータである。なお、左右一対で設けられた左右駆動ユニット２６，２６は、個別に回転駆動用のモータ２９ｂを備えることから、各アクチュエータ２７，２７が備える施療子２８，２８の左右方向位置は個別に制御できるものとなっている。図１中のＣはアクチュエータ（出退駆動源）２７とモータ（上下駆動源・幅駆動源）２９ａ，２９ｂの動作を制御して上記マッサージ動作を行わせる制御部である。
【００２５】
該施療手段２では、上下左右にアクチュエータ２７（施療子２８）の位置を変更することができるものであり、またアクチュエータ２７による駆動とこれら上下左右の駆動とを組み合わせることで、施療子２８に揉みマッサージ等のための三次元的軌跡を描く動きを行わせることができる。
【００２６】
そしてこの施療手段２は、支持体１の前傾角度に合わせた前傾角度を持つ状態でフレーム２０が固定されていることから、上記施療子２８は支持体１に前傾状態で支持された被施療者の背面に正対する。この状態でアクチュエータ２７を駆動すれば、施療子２８は人体の背面に圧力を加えるものであり、この時、被施療者はその胸部前面が胸部支持部１１によって支えられているために、上記圧力が大きくなっても人体が施療子２８から逃げてしまうようなことがなく、このために施療子２８から人体に加えられた圧力も逃げてしまうことはない。しかも被施療者にしてみれば、支持体１によって支持されることで前傾姿勢を保つために、うつぶせになる場合に比して、はるかにリラックスした状態でいられるものであり、特に被施療者が肥満傾向にあっても、体重は主として着座部１０によって支えられるために、胸部支持部１１からマッサージの際の圧力の反力がかかるとはいえ、自身の体重に起因する圧迫感や息苦しさを感ずるようなことはない。これ故に施療子２８によるマッサージ効果をきわめて高いものとすることができる。
【００２７】
また、被施療者の体重が施療子２８側にかかることはないために、アクチュエータ２７の駆動によって施療子２８から人体に加える圧力は施療子２８の前方側への突出量に応じたものとなるために、上記圧力の制御は容易である。
【００２８】
しかも人体の支持は支持部１で行うために、施療手段２側には人体の支持に関する部材を全く必要とせず、これ故に左右駆動ユニット２６による施療子２８の左右位置変更は、人体の左右方向の幅一杯としても何ら問題はなく、従って施療範囲をきわめて広くとることができる。
【００２９】
そして、上記マッサージ機においては、施療子２８を前進させることで指圧動作を行うにあたり、前述のように上下左右の動きを組み合わせることができるために、人体の体表面と直交する方向（押し込む方向）に施療子２８を動かすだけでなく、上下左右の動きを組み合わせて人体表面に沿った方向に施療子２８をずらしながら押し込むことも行えるものとなっている。これは、最も効果的であるマッサージ、すなわち人体の体表面に沿った方向で且つ筋繊維と直交する方向に力を加えながら押し込むという動作を行うことができることを意味する。
【００３０】
この特徴を最大限に生かすために、本発明においては身体外形状を計測する外形状計測手段３を備えている。図示例における外形状計測手段３は、左右一対の撮像部３０，３０と、これら撮像部３０，３０で得られた画像からエッジデータＥ（図３参照）を抽出することで外形状データを求めるとともに、得られた外形状データから更に予め定めた特徴点の間の距離（例えば図３に示すように首幅Ｌ１、肩幅Ｌ２、座面から肩までの距離Ｌ３、座面から首根までの距離Ｌ４等）を求める画像処理部３１とからなるもので、該画像処理部３１としては、上記２つの撮像部３０，３０で得た２つの画像がステレオ画像となることを利用して、身体背面の各部までの距離も求めるものを好適に用いることができる。
【００３１】
上記外形状計測手段３から得られた外形状データや特徴点間距離、身体背面の各部までの距離などの情報は、前記制御部Ｃに送られるとともに記憶部Ｍに記憶され、制御部Ｃはこの外形状データを基に施療子２８によるマッサージ範囲を規定し、この範囲内で施療子２８を動かしてマッサージを行う。
【００３２】
また、上記制御部Ｃでは、上記マッサージ範囲内を図４に示すように更にいくつかのセグメントに分割する処理を行う。ここでは上腕三頭筋が主として存在するセグメントＳ１、広背筋が主として存在するセグメントＳ２、僧帽筋が種として存在するセグメントＳ３、そして肩甲挙筋が種として存在するセグメントＳ４に分割している。
【００３３】
なお、この分割処理は、例えば図５(a)に示す最大首幅Ｌ１の実測値と、肩甲骨下点幅Ｌ５の実測値とは図５(b)に示すように、きわめて高い相関を持っていることが検証されており、上記外形状データと上記特徴点間距離のデータがあれば、上記の各筋繊維が存在しているエリア（セグメント）を容易に推定することができる。
【００３４】
ここにおいて、人体表面に対して垂直な方向に力を加えつつ筋繊維方向に垂直方向（で且つ体表面に沿った方向）に筋繊維方向を引っ張る動作が理想的なマッサージと言われており、実際にも施療効果だけでなく官能的にも好ましいものとなっている。従って、上記のようなセグメントＳ１〜Ｓ４に分割すれば、これらの各セグメントＳ１〜Ｓ４内では夫々筋繊維方向がほぼ同じであるために、そして各セグメントＳ１内での筋繊維方向は既知であるために、セグメントＳ１〜Ｓ４毎に施療子２８を動かす方向をコントロールすることで上記の理想的なマッサージを得ることができる。
【００３５】
つまり、上記制御部Ｃは、施療子２８が当接してマッサージしている部位がどのセグメントＳ１〜Ｓ４に位置しているかによって、施療子２８を人体背面に押し込む方向に駆動しつつそのセグメントＳ１〜Ｓ４での筋繊維方向と直交する方向に施療子２８を上下左右にずらすことで、上記の理想的なマッサージを得るものである。
【００３６】
また、ここでは上記施療子３８として、図６にも示すように、施療子２８にかかる力を検出することができる力センサＳＣを備えたものを用いている。図中５１はベース、５２はフロート部、５３はカバーである。
【００３７】
このマッサージ機では人体が支持体１によって支持されており、施療手段２における施療子２８に人体の体重が加わるものではないために、上記力センサＳＣで検出される力は、施療子２８が人体に加えている力の反力そのものであり、このために力センサＳＣでの検出値をフィードバックするだけで、予め定めた力を施療子２８によって人体に加えるということをきわめて正確に行うことができるものである。図７にこの動作のフローチャートを示す。
【００３８】
また、検出された力が閾値を越えた時、施療子２８を後退させればこの後退は即座に人体に加えられる力に反映されて閾値以下のものとなるために、過剰な圧力が人体に加えられた状態が続くということもない。
【００３９】
ここで、前記外形状計測手段３から身体背面の各部までの距離も得ている時には、人体背面に施療子２８を前進させる時、人体背面に施療子２８が接触する位置を事前に知ることができるものであり、接触する直前位置までは力センサＳＣの出力を参照しなくても施療子２８を前進させることができるために、駆動系の処理負担が軽減されるものとなる上に、力と距離の双方で身体への押圧状態を判断することになるために、安全性も向上する。
【００４０】
なお、力センサＳＣとしては３軸方向の力Ｆｘ，Ｆｙ，Ｆｚを検出することができるとともに、施療子２８の動きの３軸方向Ｘ，Ｙ，Ｚと上記力Ｆｘ，Ｆｙ，Ｆｚの方向とを一致させたものを用いるのが好ましい。押し込み方向の力Ｆｚと上下左右の動きによる力Ｆｘ，Ｆｙとを図８に変化させつつマッサージしているとともに、力Ｆｚの最大値を徐々に高くしていく時、図８に示すように、該力Ｆｚが閾値を越えたなら施療子２８を即座に後退させることで過負荷状態が直ちに解消される。
【００４１】
また、上下左右方向の力Ｆｘ，Ｆｙが図９に示すように閾値を越えることがあれば、これは施療子２８が例えば肩甲骨等に当たったことを意味するために、たとえば図１０に示すように円を描く軌跡Ｔ１の上下左右の動きを施療子２８に与えている時、閾値を越えてしまった方向（図示例ではＸ方向）の変位量を小さく抑えて、施療子２８の動作軌跡を修正（図中Ｔ２が修正後の軌跡）することで、各部位に対して更に適切なマッサージを行うことができる。
【００４２】
また、上記閾値を越えてしまう位置をプロットすれば、たとえば肩甲骨の縁がどの位置にあるのかを測定したことになる。このために、該マッサージ機は施療子２８によってマッサージすべき位置（いわゆるツボの存在位置）がどこにあるのかをより的確に判断してマッサージしたり、例えば施療子２８が肩甲骨の裏側に潜り込むような押し込み動作を行わせることも可能である。
【００４３】
ところで、マッサージに際しての施療子２８のＸ，Ｙ方向の動き成分は、前述の画像データを基にしたセグメントＳ１〜Ｓ４分けに応じて決定しているが、筋繊維の方向を上記力センサＳＣの出力を基に判断するようにしてもよい。
【００４４】
今、ある部位下に存在する筋繊維の方向をＸｏ、これと直交する方向をＹｏとする時、図１１に示すように、施療子２８をＹｏ方向に動かす時の力センサＳＣによるＦｘ，Ｆｙの出力はＸｏ方向の力成分値に対してＹｏ方向の力成分値の方が十分大きくなる。これに対して、Ｙｏ方向から角度θだけずれた方向Ｙ１に施療子２９を動かした時には、図１２に示すように力センサＳＣによるＦｘ，Ｆｙの出力はＸｏ方向の力成分値とＹｏ方向の力成分値とが接近したものとなる。この時、上記θの値は、閾値をεとする時、次の式
θ＝tan-1（Ｆｘ／Ｆｙ）≪ε
θ＝tan-1（Ｆｘ／Ｆｙ）＞ε
で導くことができる。ただし、上記式中のＦｘ，Ｆｙは夫々平均値（図１１及び図１２中のＦｘａ，ＦｙＡ）である。
【００４５】
筋繊維方向ＸｏをＦｘ，Ｆｙの値から算出することができるわけであり、この算出結果に基づいて施療子２８を動かす方向を規定することで、好ましいとされているマッサージをより正確に行うことができるものである。
【００４６】
この時、筋繊維方向Ｘｏと垂直なＹｏ方向において施療子２８を往復動させることになるが、ずれ角θをゼロとするために与えるべき巾方向Ｘ及び上下方向Ｙの駆動指令値Ｖｘ，Ｖｙは次の式
【００４７】
【数１】
2009160175.tif 000003
【００４８】
で導くことができる。
【００４９】
さらに、施療子２８が図示例のように拇指形状を模したもの、つまり人体との接触面が楕円形をなすような形状のものである場合、楕円形の短軸方向が筋繊維方向と一致し、長軸方向が筋繊維方向と直交する方向となるようにして、筋繊維と直交する方向に動かすことが、施術師が行う施療を忠実に再現するものとなる。
【００５０】
このために、図１３に示すように、施療子２８としてＺ軸回りに回転させることができるものを用いて、施療対象となっているところの筋繊維方向と直交する方向（施療子２８を往復動させる方向）に施療子２８の上記長軸方向が一致するように施療子２８を回転させてマッサージを行うと、更に好ましいマッサージ効果を得ることができる。図１３中の５４は回転駆動部、５５は回転角検出部である。
【００５１】
なお、このマッサージ機は、肩の上面に対するマッサージも可能なものであり、この場合、押し込む方向は上下方向Ｚとなり、筋繊維方向と直交する方向は前後方向Ｚとなるために、施療子２８を体表面に沿って動かす方向も押し込み方向の変化に応じたものとする。
【００５２】
ところで、身体外形状を計測する外形状計測手段３として、図示例のように撮像部３０を用いた場合、衣服を着た状態の被施療者の背面の外形状データを得るにあたり、エッジデータが抽出しにくい場合が存在する。このために上記マッサージ機は、図１４に示すように遮光性部材からなるとともに内部に閉空間を形成するボックスルーム６内に設置するのが好ましい。そしてボックスルーム６内には照度調整可能な照明器具を設定することで、外乱光の影響を受けることなくエッジ画像の抽出を行うことができる上に、衣服と壁面との色に差がなくても、明度差を大きくすることができるためにエッジ画像の抽出が容易となる。
【図面の簡単な説明】
【００５３】
【図１】本発明の実施の形態の一例の斜視図である。
【図２】同上の施療手段の分解斜視図である。
【図３】同上の外形状測定手段の動作の説明図である。
【図４】同上のセグメントについての説明図である。
【図５】(a)は最大首幅と肩甲骨下点幅の説明図、(b)はこの両者の相関を示す説明図である。
【図６】(a)は施療子部分の分解斜視図、(b)は断面図である。
【図７】動作を示すフローチャートである。
【図８】同上の動作を検出圧力値で示すタイムチャートである。
【図９】同上の他の動作を検出圧力値で示すタイムチャートである。
【図１０】同上の軌跡修正に関する動作の説明図である。
【図１１】(a)は筋繊維方向と施療子を動かしている方向の説明図、(b)は理想方向に施療子を動かしている時のタイムチャートである。
【図１２】(a)は筋繊維方向と施療子を動かしている方向の説明図、(b)はずれた方向に施療子を動かしている時のタイムチャートである。
【図１３】施療子の他例を示す斜視図である。
【図１４】別の例を示す斜視図である。
【符号の説明】
【００５４】
１  支持体
２  施療手段
３  外形状測定手段
２８  施療子
Ｃ  制御部
【図１】
2009160175.tif 000004
【図２】
2009160175.tif 000005
【図３】
2009160175.tif 000006
【図４】
2009160175.tif 000007
【図５】
2009160175.tif 000008
【図６】
2009160175.tif 000009
【図７】
2009160175.tif 000010
【図８】
2009160175.tif 000011
【図９】
2009160175.tif 000012
【図１０】
2009160175.tif 000013
【図１１】
2009160175.tif 000014
【図１２】
2009160175.tif 000015
【図１３】
2009160175.tif 000016
【図１４】
2009160175.tif 000017